(57)【要約】      （修正有）【課題】ゲーム機器等のモバイル電子機器を手に持った状態でも、非接触型カードを容易に使用することができるモバイル電子機器用カバーを提供する。【解決手段】モバイル電子機器１の少なくとも背面に装着されて該背面を覆うモバイル電子機器用カバー１０において、前記モバイル電子機器１の背面を覆う部分に、非接触型カードＡに対応した大きさのカード用収容部２５が設けられ、前記カード用収容部２５に収容された前記非接触型カードＡと外部機器との間で非接触でデータの送受が可能となるように構成されている。【選択図】図３
2009135203.tif 000002
【特許請求の範囲】
【請求項１】
モバイル電子機器の少なくとも背面に装着されて該背面を覆うモバイル電子機器用カバーにおいて、前記モバイル電子機器の背面を覆う部分に、非接触型カードに対応した大きさのカード用収容部が設けられ、前記カード用収容部に収容された前記非接触型カードと外部機器との間で非接触でデータの送受が可能となるように構成されている、ことを特徴とするモバイル電子機器用カバー。
【請求項２】
前記カード用収容部は、前記非接触型カードに対応した大きさのカード用収容凹部又はカード用収容ポケットによって構成されていることを特徴とする請求項１に記載のモバイル電子機器用カバー。
【請求項３】
前記カード用収容凹部は、前記モバイル電子機器用カバーの外面に設けられ、前記外面には、前記非接触型カードを前記カード用収容凹部内に拘束するためのカード用拘束手段が設けられていることを特徴とする請求項２に記載のモバイル電子機器用カバー。
【請求項４】
前記カード用拘束手段は、前記カード用収容凹部の開口を塞ぐカード用蓋体によって構成されていることを特徴とする請求項３に記載のモバイル電子機器用カバー。
【請求項５】
前記カード用拘束手段は、前記カード用収容凹部の開口の縁に形成され前記非接触型カードの縁を係止するカード用係止爪によって構成されていることを請求項３に記載のモバイル電子機器用カバー。
【請求項６】
前記カード用収容部は、前記モバイル電子機器用カバーの外面と平行な方向から抜差し可能なカード用入出口を備えていることを特徴とする請求項２から５いずれか一項に記載のモバイル電子機器用カバー。
【請求項７】
前記カード用収容部に収容される前記非接触型カードと前記モバイル電子機器との間には磁気シールドシートが介装されていることを特徴とする請求項１から６いずれか一項に記載のモバイル電子機器用カバー。
【請求項８】
前記カード用収容凹部は、前記モバイル電子機器用カバーの内面に設けられるとともに、前記モバイル電子機器用カバーの内面と平行な方向から抜差し可能なカード用入出口に連通されていることを特徴とする請求項２に記載のモバイル電子機器用カバー。
【発明の詳細な説明】
【技術分野】
【０００１】
本発明は、携帯用のモバイル電子機器用カバーに関するものである。
【背景技術】
【０００２】
ゲーム機器、ＰＤＡ（Personal Digital Assistant：携帯情報端末）等に代表されるモバイル電子機器（例えば、特許文献１など）は、家庭内のみならず、電車内でも使用されることが多い。
【特許文献１】特開２００２−３７０４２０公報
【発明の開示】
【発明が解決しようとする課題】
【０００３】
ところで、例えば、ゲーム機器を電車内で使用中でゲームが未だ終了しない段階で下車したいときなどに、ゲーム機器をすぐに手放せない場合がある。この場合、ゲーム機器を片手に持った状態で、定期券や乗車券等として機能する非接触型カードをポケットなどから取り出すことになるが、ゲーム機器を手放せないために、その取り出しが煩雑となる。特に、他に手荷物を持っているときなどには、なおさら煩雑になる。
【０００４】
本発明は、かかる問題点を解決するためになされたもので、ゲーム機器等のモバイル電子機器を手に持った状態でも、非接触型カードを容易に使用することができるモバイル電子機器用カバーを提供することを目的とする。
【課題を解決するための手段】
【０００５】
請求項１に記載の発明は、モバイル電子機器の少なくとも背面に装着されて該背面を覆うモバイル電子機器用カバーにおいて、前記モバイル電子機器の背面を覆う部分に、非接触型カードに対応した大きさのカード用収容部が設けられ、前記カード用収容部に収容された前記非接触型カードと外部機器との間で非接触でデータの送受が可能となるように構成されている、ことを特徴とするモバイル電子機器用カバーである。ここで、「外部機器との間で非接触でデータの送受が可能となるように構成されている」とは、積極的にデータの送受を促進する意味ではなく、送受を妨げない意である。例えば、非接触型カードを外部に露出させるか、カバーが非接触型カードを被覆する場合には、非接触型カードを覆う部分の材質が透磁性を有し、送受を妨げないことを意味する。
【０００６】
請求項２に記載の発明は、前記カード用収容部は、前記非接触型カードに対応した大きさのカード用収容凹部又はカード用収容ポケットによって構成されていることを特徴とする請求項１に記載のモバイル電子機器用カバーである。
【０００７】
請求項３に記載の発明は、前記カード用収容凹部は、前記モバイル電子機器用カバーの外面に設けられ、前記外面には、前記非接触型カードを前記カード用収容凹部内に拘束するためのカード用拘束手段が設けられていることを特徴とする請求項２に記載のモバイル電子機器用カバーである。
【０００８】
請求項４に記載の発明は、前記カード用拘束手段は、前記カード用収容凹部の開口を塞ぐカード用蓋体によって構成されていることを特徴とする請求項３に記載のモバイル電子機器用カバーである。
【０００９】
請求項５に記載の発明は、前記カード用拘束手段は、前記カード用収容凹部の開口の縁に形成され前記非接触型カードの縁を係止するカード用係止爪によって構成されていることを請求項３に記載のモバイル電子機器用カバーである。
【００１０】
請求項６に記載の発明は、前記カード用収容部は、前記モバイル電子機器用カバーの外面と平行な方向から抜差し可能なカード用入出口を備えていることを特徴とする請求項２から５いずれか一項に記載のモバイル電子機器用カバーである。
【００１１】
請求項７に記載の発明は、前記カード用収容部に収容される前記非接触型カードと前記モバイル電子機器との間には磁気シールドシートが介装されていることを特徴とする請求項１から６いずれか一項に記載のモバイル電子機器用カバーである。
【００１２】
請求項８に記載の発明は、前記カード用収容凹部は、前記モバイル電子機器用カバーの内面に設けられるとともに、前記モバイル電子機器用カバーの内面と平行な方向から抜差し可能なカード用入出口に連通されていることを特徴とする請求項２に記載のモバイル電子機器用カバーである。
【発明の効果】
【００１３】
請求項１から８に記載の発明によれば、カード用収容部に非接触型カードを入れておけば、モバイル電子機器とその非接触型カードを使用する際に、モバイル電子機器をカード読取り機器等にかざすだけで済むことになる。
また、請求項７に記載の発明によれば、非接触型カードとモバイル電子機器の外面との間が磁気シールドされているので、非接触型カードの使用に伴って生じる危険性がある、データの授受を行うモバイル電子機器やカード読取り機等の誤動作などを防止することができる。
【発明を実施するための最良の形態】
【００１４】
第１実施形態から第４実施形態のモバイル電子機器用カバー１０が適用されるモバイル電子機器の一例について図１を用いて説明する。
モバイル電子機器は折畳み式のゲーム機器１である。このゲーム機器１は、図１に示すように、機器本体１ａと、機器本体１ａの主面に被さる機器蓋体１ｂとが図示しないヒンジによって開閉自在に連結されている。ゲーム機器１には、機器本体１ａおよび機器蓋体１ｂの主面中央部に、ディスプレイ２，３がそれぞれ設けられている。このうち、機器本体１ａのディスプレイ２の左右には、操作ボタン４ａ，４ｂがそれぞれ配分されて設けられている。機器蓋体１ｂのディスプレイ３の左右には、スピーカの放音孔５ａ，５ｂがそれぞれ配分されて設けられている。
また、機器本体１ａの前面中央にはカートリッジ差込み口６が設けられ、このカートリッジ差込み口６の両側には、ボリューム７，ヘッドホン／マイク接続端子８が設けられている。
また、図示はしないが、機器本体１ａの後面中央にはカード差込み口が設けられ、このカード差込み口の左右にはＡＣアダプタ接続コネクタ，タッチペンホルダー，ストラップフック等が適宜設けられ、さらに、左右端には、左右側面に亘る操作ボタンがそれぞれ設けられている。
ここで、カートリッジ差込み口６に差し込まれるカートリッジはゲーム用カートリッジであり、このゲーム用カートリッジにはコンピュータで読取り可能なゲーム進行プログラムや各種データが記憶されている。また、カード差込み口に差し込まれるカードはゲーム用カードであり、このゲーム用カードにはコンピュータで読取り可能なゲーム進行用プログラムや各種データが記憶されている。
なお、ゲーム機器１における主面とは、ゲームの進行に主に使われる面をいう。実施形態のゲーム機器１においては、ディスプレイ２，３が設けられている面をいう。そして、ゲーム機器１における背面とは、主面とは反対側の面をいう。
また、以下の説明においては、モバイル電子機器用カバー１０がゲーム機器１に装着され、ゲーム機器１のカートリッジ差込み口６を手前側に位置させ、且つ、機器蓋体１ｂを閉じた状態を基準に、「前後」、「左右」、「上下」とすることとする。
【００１５】
（第１実施形態）
図１から図６を用いて第１実施形態のモバイル電子機器用カバー１０を説明する。
１．カバーの全体構造
第１実施形態のカバー１０はプラスチック製で透磁性の下部カバー１１及び上部カバー１２によって構成されている。このうち、下部カバー１１は機器本体１ａを収容するもので、機器本体１ａの背面と該背面に直交する４つの側面を被覆する。また、上部カバー１２は機器蓋体１ｂを収容するもので、機器蓋体１ｂの背面と該背面に直交する３つの側面を被覆する。
【００１６】
２．下部カバーの構造
下部カバー１１は、図２に示すように、上方に開口する本体収容凹部１１ａを有し、その本体収容凹部１１ａには機器本体１ａが背面側から嵌入される。
下部カバー１１の左右側壁後部には、上方に突出する舌片状のフランジ１３，１３が１つずつ設けられている。フランジ１３，１３には軸孔１３ａが１つずつ形成されている。
下部カバー１１の前側壁の内面の上縁には、下部カバー１１の内方に向けて延びる機器用係止爪１４が所定の間隔をおいて２つ形成されている。そして、本体収容凹部１１ａに機器本体１ａが嵌入されたときに、機器用係止爪１４，１４が機器本体１ａの主面の縁に係止されることによって、機器本体１ａが本体収容凹部１１ａ内に拘束されるようになっている。また、下部カバー１１の前側壁には、本体収容凹部１１ａ内に機器本体１ａが嵌入されたときに、カートリッジ差込み口６，ボリューム７，ヘッドホン／マイク接続端子８を外部に露出させるための孔１５，１６，１７が設けられている。カートリッジ差込み口６，ボリューム７，ヘッドホン／マイク接続端子８を外部に露出させるために、これら孔に代えて切欠きを設けてもよいことは勿論である。
下部カバー１１の後側壁には、本体収容凹部１１ａ内に機器本体１ａが嵌入されたときに、機器本体１ａの後側のカード差込み口，ＡＣアダプタ接続コネクタ，タッチペンホルダー，ストラップフック及び操作ボタンを外部に露出させるための孔１８，１９，２０，２１が形成されている。
【００１７】
３．上部カバー
上部カバー１２は、図２に示すように、下方に開口する蓋体収容凹部１２ａを有し、その蓋体凹部１２ａには機器蓋体１ｂが背面側から嵌入される。ここで、蓋体収容凹部１２ａは前側壁及び左右側壁の３つの側壁によって画成されており、後方は開放されている。つまり、後側壁は設けられていない。
上部カバー１２の左右壁後部には、後方へ突出する舌片２２が１つずつ形成されている。舌片２２，２２の対向面にはピン２３が１つずつ突設されている。各舌片２２のピン２２は、下部カバー１１の各フランジ１３の軸孔１３ａに左右方向外方から嵌合可能となっている。そして、各舌片２２のピン２２が各軸孔１３ａに左右方向外方から嵌合されることによって、上部カバー１２が下部カバー１１に回動自在に取り付けられるようになっている。
また、上部カバー１２の前側壁の内面には、上部カバー１２の内方に向けて延びる蓋体用係止爪２４が所定の間隔をおいて２つ形成されている。そして、本体収容凹部１２ａに機器蓋体１ｂが嵌入されたときに、蓋体用係止爪２４，２４が機器蓋体１ｂの主面の縁に係止されることによって、機器蓋体１ｂが本体収容凹部１２ａ内に拘束されるようになっている。
【００１８】
上部カバー１２の外面（上面）の幅方向中央部には後端寄りに、図３に示すように、上方（外方）に開口するカード用収容凹部（カード用収容部）２５が設けられている。また、カード用収容凹部２５には、該カード用収容凹部２５の開口を塞いで非接触型カードＡを該カード用収容凹部２５に拘束するためのカード用蓋体２６が設けられている。
このうち、カード用収容凹部２５の大きさは、非接触型カードＡに対応している。すなわち、第１実施形態のモバイル電子機器用カバー１０の場合、カード用収容凹部２５の平面的形状は非接触型カードＡが入れるだけの形状となっており、深さは、非接触型カードＡの厚みにカード用蓋体２６の厚みを足した分よりもわずかに深くなっている。
カード用収容凹部２５を画成する左右壁後部には、図示しない軸孔又はピンが設けられている。一方、カード用蓋体２６の左右側壁には、図示しないピン又は軸孔が設けられている。そして、カード用収容凹部２５の軸孔又はピンとカード用蓋体２６のピン又は軸孔とを嵌合させることによって、カード用蓋体２６はカード用収容凹部２５に回動自在に取り付けられるようになっている。
また、カード用蓋体２６の自由端部内面には下方に向けて延びる蓋体用係止爪２７が所定の間隔をおいて２つ設けられている。一方、カード用収容凹部２５の前側壁には、上記爪２７，２７に対応した位置に図示しな爪孔が設けられている。そして、カード用蓋体２６を閉じた際にカード用収容凹部２５の爪孔にカード用蓋体２６の蓋体用係止爪２７，２７が嵌入されることで、カード用蓋体２６が閉じた状態に保持されるようになっている。なお、カード用蓋体２６の自由端部には人の爪を掛けるための切欠き２８が設けられている。この切欠き２８はカード用蓋体２６を開く際に使用される。
【００１９】
なお、ゲーム機器１が非接触型カードＡの存在によってカード読取り機等からの電磁波の影響を受けるような場合には、カード用収容凹部２５の底面に、磁気シールド材を塗布するか、磁気シールドシートを敷設するか、少なくとも非接触型カードＡを入れる側のカバー部分を磁気シールド材含有の材料で構成するか、することが好ましい。また、磁気シールドシートを敷設する場合には貼付することが好ましい。
また、ゲーム機器１をカード読取り機等に当接する際の衝撃から保護するために、カバー１０の外面又は角に柔軟な合成樹脂，ゴム、布等を貼っておくことが好ましい。
【００２０】
４．カバーの作用
以上のように構成されたカバー１０によれば、非接触型カードＡを担持したゲーム機器１を例えば改札等のカード読取り機にかざすだけで、非接触型カードＡに記憶された情報を例えばカード読取り機に読み取らせることができる。
【００２１】
５．カバーの変形例
なお、第１実施形態のモバイル電子機器用カバー１０では、カード用収容凹部２５を上部カバー１２側に設けているが、カード用収容凹部２５を下部カバー１１側に設けても良い。
【００２２】
（第２実施形態）
図５から図８を用いて第２実施形態のモバイル電子機器用カバーを説明する。なお、この第２実施形態のモバイル電子機器用カバーにおいて、第１実施形態のモバイル電子機器用カバーと同様な要素は、同一の符号を付することによって、その説明を省略する。
【００２３】
この実施形態のカバー１０では、上部カバー１２の内面（下面）の幅方向中央部には後端寄りに、図５に示すように、下方（内方）に開口するカード用収容凹部（カード用収容部）３１が設けられている。このカード用収容凹部３１は、３つのリブ２９，２９，２９によって前側、左側及び右側が画成されており、後方は開放されている。つまり、後方のリブは設けられていない。このリブが設けられていない部分がカード用入出口を構成している。
カード用収容凹部３１の大きさは、非接触型カードＡの大きさに対応している。すなわち、第２実施形態のモバイル電子機器カバー１０の場合、図６におけるＶＩＩ−ＶＩＩ線断面およびＶＩＩＩ−ＶＩＩＩ線断面で示す図７および図８に示すように、カード用収容凹部３１の縦横及び深さは非接触型カードＡの縦横及び厚みよりもわずかに大きくなっている。
また、上部カバー１２の内面のカード用入出口近傍には、ゴム又はスポンジなどの弾性シート３０が上部カバー１２の後端に沿って貼着されている。この弾性シート３０は、非接触型カードＡをカード用収容部３１に強く拘束するためのものである。非接触型カードＡは、弾性シート３０がなくとも、カード用収容部３１に拘束されるが、弾性シート３０があれば、弾性シート３０によって非接触型カードＡが強く上部カバー１２の内面に押し付けられることになるので、拘束力は大きくなる。
また、上部カバー１２には、蓋体収容凹部１２ａの幅方向中央に、前後方向に延びる指入れ用のスリット３２が形成されている。このスリット３２は、非接触型カードＡをカード用収容部３１から取り出す際に使用される。
【００２４】
このように構成されたモバイル電子機器用カバー１０では、非接触型カードＡは、上部カバー１２の裏面と、リブ２９，２９，２９と、ゲーム機器１の機器蓋体１ｂの背面と、弾性シート３０とによってカード用収容凹部３１内に拘束される。なお、非接触型カードＡのカード用収容部３１に対する出し入れは、モバイル電子機器用カバー１０をゲーム機器１に装着した状態で、上部カバー１２の後端のカード入出口から行われる。
【００２５】
以上のように構成されたカバー１０によれば、非接触型カードＡを担持したゲーム機器１を例えば改札等のカード読取り機にかざすだけで、非接触型カードＡに記憶された情報を例えばカード読取り機に読み取らせることができる。
【００２６】
なお、第２実施形態のモバイル電子機器用カバー１０において、リブ２９，２９，２９の下側にプラスチック製の板材を付設してカード用ポケット収容部とし、このカード用ポケット収容部に非接触型カードＡを収容するようにしてもよい。
また、第２実施形態のモバイル電子機器用カバー１０では、カード用収容凹部３１を上部カバー１２側に設けているが、カード用収容凹部３１を下部カバー１１側に設けても良い。
また、ゲーム機器１をカード読取り機等に当接する際の衝撃から保護するために、カバー１０の外面又は角に柔軟な合成樹脂，ゴム、布等を貼っておくことが好ましい。
また、ゲーム機器１が非接触型カードＡの存在によってカード読取り機等からの電磁波の影響を受けるような場合には、非接触型カードＡと機器蓋体１ｂの背面との間に磁気シールドシートを介在させればよい。この場合、磁気シールドシートを機器蓋体１ｂの背面に貼付することが好ましい。カード用ポケット収容部の場合には、カード用ポケット収容部を画成する壁に磁気シールド構造を設けることができる。
【００２７】
（第３実施形態）
図９を用いて第３実施形態のモバイル電子機器用カバーを説明する。なお、この第３実施形態のモバイル電子機器用カバーにおいて、第１実施形態のモバイル電子機器用カバーと同様な要素は、同一の符号を付することによって、その説明を省略する。
【００２８】
この実施形態のカバー１０では、下部カバー１１の内面（上面）の幅方向中央部に、図９に示すように、上方（内方）に開口するカード用収容凹部（カード用収容部）３３が設けられている。このカード用収容凹部３３は、４つの側壁によって前後、左右が画成されている。
カード用収容凹部３３の大きさは、非接触型カードＡの大きさに対応している。すなわち、第３実施形態のモバイル電子機器カバー１０の場合、カード用収容凹部３３の縦横及び深さは非接触型カードＡの縦横及び厚みよりもわずかに大きくなっている。
【００２９】
このように構成されたモバイル電子機器用カバー１０では、非接触型カードＡは、ゲーム機器１の機器蓋体１ｂの背面によって、カード用収容凹部３１内に拘束される。
【００３０】
以上のように構成されたカバー１０によれば、非接触型カードＡを担持したゲーム機器１を例えば改札等のカード読取り機にかざすだけで、非接触型カードＡに記憶された情報を例えばカード読取り機に読み取らせることができる。
【００３１】
なお、第３実施形態のモバイル電子機器用カバー１０では、カード用収容凹部３３を下部カバー１１側に設けているが、カード用収容凹部３３を上部カバー１２側に設けても良い。
また、ゲーム機器１をカード読取り機等に当接する際の衝撃から保護するために、カバー１０の外面又は角に柔軟な合成樹脂，ゴム、布等を貼っておくことが好ましい。
また、ゲーム機器１が非接触型カードＡの存在によってカード読取り機等からの電磁波の影響を受けるような場合には、非接触型カードＡと機器本体１ａの背面との間に磁気シールドシートを介在させればよい。この場合、磁気シールドシートを機器本体１ａの背面に貼付することが好ましい。
【００３２】
（第４実施形態）
図１０から図１１を用いて第２実施形態のモバイル電子機器用カバーを説明する。なお、この第４実施形態のモバイル電子機器用カバーにおいて、第１実施形態のモバイル電子機器用カバーと同様な要素は、同一の符号を付することによって、その説明を省略する。
【００３３】
この実施形態のカバー１０では、上部カバー１１の外面（上面）の幅方向中央部に、上方（内方）に開口するカード用収容凹部（カード用収容部）３４が設けられている。このカード用収容凹部３４は、４つの側壁によって前後、左右が画成されている。
カード用収容凹部３４の大きさは、非接触型カードＡの大きさに対応している。すなわち、第４実施形態のモバイル電子機器カバー１０の場合、カード用収容凹部３４の縦横及び深さは非接触型カードＡの縦横及び厚みよりもわずかに大きくなっている。
また、カード用収容凹部３４の側壁の上縁には、カード用収容凹部３４の内方に向けて延びるカード用係止爪３５が所定の間隔をおいて複数形成されている。そして、カード用収容凹部３４に非接触型カードＡが入れられたときに、複数のカード用係止爪３５が非接触型カードＡの上面の縁に係止されることによって、非接触型カードＡがカード用収容凹部３４内に拘束されるようになっている。
【００３４】
以上のように構成されたカバー１０によれば、非接触型カードＡを担持したゲーム機器１を例えば改札等のカード読取り機にかざすだけで、非接触型カードＡに記憶された情報を例えばカード読取り機に読み取らせることができる。
【００３５】
なお、第４実施形態のモバイル電子機器用カバー１０では、カード用収容凹部３４を上部カバー１２側に設けているが、カード用収容凹部３４を下部カバー１１側に設けても良い。
また、ゲーム機器１をカード読取り機等に当接する際の衝撃から保護するために、カバー１０の外面又は角に柔軟な合成樹脂，ゴム、布等を貼っておくことが好ましい。
また、ゲーム機器１が非接触型カードＡの存在によってカード読取り機等からの電磁波の影響を受けるような場合には、カード用収容凹部２５の底面に、磁気シールド材を塗布するか、磁気シールドシートを敷設するか、少なくとも非接触型カードＡを入れる側のカバー部分を磁気シールド材含有の材料で構成するか、することが好ましい。また、磁気シールドシートを敷設する場合には貼付することが好ましい。
さらに、カード用収容凹部３４を画成する１つの壁を欠損させ、その欠損部をカード入出口とし、そのカード入出口から非接触型カードを抜差しするようにしてもよい。
【００３６】
以上、本発明の実施形態について説明したが、本発明は、かかる実施形態に限定されず、その要旨を逸脱しない範囲で種々変形可能であることはいうまでもない。
例えば、上記実施形態では、モバイル電子機器としてゲーム機器を挙げたが、ＰＤＡその他携帯型のモバイル電子機器にも適用できることはいうまでもない。
【図面の簡単な説明】
【００３７】
【図１】第１実施形態に係るモバイル電子機器用カバーを示した斜視図である。
【図２】図１に示したモバイル電子機器用カバーの分解斜視図である。
【図３】図１に示したモバイル電子機器用カバーにおけるカード用収容部を示した斜視図で、カード用蓋体を開成した状態を示している。
【図４】図１に示したモバイル電子機器用カバーにおけるカード用収容部を示した斜視図で、カード用蓋体を閉成した状態を示している。
【図５】第２実施形態のモバイル電子機器用カバーを示した分解斜視図である。
【図６】図５に示したモバイル電子機器用カバーに非接触型カードの一部を挿入した状態を示した斜視図である。
【図７】図６におけるＶＩＩ−ＶＩＩ線断面図で、モバイル電子機器用カバーに非接触型カードを収容した状態を示している。
【図８】図６におけるＶＩＩＩ−ＶＩＩＩ線断面図で、モバイル電子機器用カバーに非接触型カードを収容した状態を示している。
【図９】第３実施形態のモバイル電子機器用カバーを示した斜視図である。
【図１０】第４実施形態のモバイル電子機器用カバーを示した斜視図である。
【図１１】図１０に示したモバイル電子機器用カバーに非接触型カードを収容した状態を示した斜視図である。
【符号の説明】
【００３８】
１    ゲーム機（モバイル電子機器）
１ａ    機器本体
１ｂ    機器蓋体
２，３     ディスプレイ
４ａ，４ｂ    操作ボタン
１０    モバイル電子機器用カバー
１１    下部カバー
１２    上部カバー
２５    カード用収容凹部
２６    カード用蓋体
３１    カード用収容凹部
３３    カード用収容凹部
３４    カード用収容凹部
３５    カード用係止爪
【図１】
2009135203.tif 000003
【図２】
2009135203.tif 000004
【図３】
2009135203.tif 000005
【図４】
2009135203.tif 000006
【図５】
2009135203.tif 000007
【図６】
2009135203.tif 000008
【図７】
2009135203.tif 000009
【図８】
2009135203.tif 000010
【図９】
2009135203.tif 000011
【図１０】
2009135203.tif 000012
【図１１】
2009135203.tif 000013